(57)【特許請求の範囲】
【請求項１】
光ピックアップ用レンズアクチュエータであって、
キャリッジと、
対物レンズを保持するレンズホルダと、
それぞれの一端が前記キャリッジに固定され他端が前記レンズホルダに固定された、該レンズホルダを前記キャリッジに対して移動可能に支持する支持部材と、
前記レンズホルダの両側面に長辺が前記支持部材の伸長方向となるように接着された一対の矩形状フォーカシングコイルと、
前記各フォーカシングコイルの長辺に対向し、フォーカシング方向に直交する方向に着磁され、隣り合う磁極が互いに異なるようにフォーカシング方向に積み重ねられた、前記対物レンズの光軸を含む面に対して対称に配置され且つ左右の磁気回路の磁極が逆となるように前記キャリッジに固定された４個のアクチュエータ用磁石と、
フォーカシング方向に直交する方向に着磁され、隣り合う磁極が互いに異なるように前記左右のアクチュエータ用磁石の上に搭載された漏洩磁場打ち消し用磁石と、
を具備したことを特徴とする光ピックアップ用レンズアクチュエータ。
【請求項２】
前記キャリッジを駆動するキャリッジ駆動手段を更に具備し、
該キャリッジは光記録媒体の半径方向に移動されることを特徴とする請求項１記載の光ピックアップ用レンズアクチュエータ。
【請求項３】
前記支持部材は一対の平行板バネから構成されることを特徴とする請求項１又は２記載の光ピックアップ用レンズアクチュエータ。
【発明の詳細な説明】
【０００１】
【発明の属する技術分野】
本発明は、光ディスク装置等に適用される光ピックアップ用レンズアクチュエータに関する。
【０００２】
【従来の技術】
最近の光ディスク装置の光ピックアップは、小型化を実現するため、レーザダイオード、レーザビームの反射及び透過を行うビームスプリッタ、光ディスクからの反射光を受光する光検出器等を含んだ固定光学アセンブリと、キャリッジ及びキャリッジに取り付けられた対物レンズ、その支持部材及びフォーカシングコイルを有するフォーカシング機構を含んだ移動光学アセンブリとから構成される。
【０００３】
対物レンズはレンズホルダにより支持されており、このレンズホルダは金属製の２枚の平行板バネによりキャリッジに片持ち支持されている。レンズホルダに一対のフォーカシングコイルが固定されている。
【０００４】
キャリッジにはレンズホルダに固定されたフォーカシングコイルに対向して一対のフォーカシング磁気回路が搭載されており、このフォーカシング磁気回路がレンズホルダに固定されたフォーカシングコイルに磁束を供給して、電磁相互作用により対物レンズの光軸方向に力を発生させ、対物レンズを駆動する。
【０００５】
キャリッジは一対のガイドレールに案内されて光ディスクの半径方向に移動可能である。キャリッジの両側面には一対のキャリッジ駆動コイルが固着されている。
【０００６】
キャリッジ駆動コイルはその一部が、キャリッジの両側面のベース上に配置されたキャリッジ駆動磁気回路のギャップ中に挿入され、キャリッジ駆動コイルに通電すると電磁相互作用によりキャリッジを光ディスクの半径方向に駆動する力を発生する。
【０００７】
このような構成により、フォーカシング機構は、変動する光ディスク記録面に対して常に対物レンズ焦点が記録面と一致するように、対物レンズの焦点位置をフォーカシング制御する。
【０００８】
また、キャリッジを駆動することにより光ディスク上の任意のトラック上に対物レンズを位置決めし（シーク制御）、更にスピンドルモータの振動や光ディスクチャッキング時の偏心等により光ディスク半径方向にその位置が変動するトラックに対して、常に対物レンズ焦点が追従するようなトラッキング制御を行う。
【０００９】
固定光学アセンブリのレーザダイオードから出射されたライトパワーのレーザビームはコリメータレンズによりコリメートされた後、ビームスプリッタを透過し、ビーム立ち上げミラーにより反射されて対物レンズにより光ディスク上にフォーカスされ、光ディスクにデータが書きこまれる。
【００１０】
一方、データの読み出しは、光ディスクにリードパワーのレーザビームを照射することにより行われる。光ディスクからの反射光は対物レンズによりコリメートビームに戻された後、固定光学アセンブリのビームスプリッタにより反射され、この反射光が光検出器で検出されて電気信号に変換される。
【００１１】
光ディスク装置の一種である光磁気ディスク装置では、従来は一般的にレーザビームをデータで変調する光変調方式が採用されていたが、最近では記録容量を向上するために、記録磁界をデータで変調する磁界変調方式の採用が検討されている。
【００１２】
磁界変調方式の光磁気ディスク装置では、光変調方式に比較して漏洩磁場の影響が大きく、漏洩磁場を極力少なくすることが必要である。漏洩磁場を少なくする方法として一般的に採用されるのは、磁界同士が打ち消し合うような磁気回路構成を用いることである。
【００１３】
従来は、光磁気ディスク媒体に垂直方向の漏れ磁場を打ち消すように、対物レンズに対して左右の磁気回路の極性（位相）を逆にするような磁気回路構成を採用していた。
【００１４】
【発明が解決しようとする課題】
媒体の記録密度が高まるにつれ、媒体垂直方向の漏れ磁場だけでなく水平方向の漏れ磁場もある程度抑制する必要が生じてくる。しかし、従来の左右の磁気回路の位相を逆にする方法では、媒体垂直方向の漏れ磁場はほとんど無くなるが、水平方向漏れ磁場は、通常の左右同相の磁気回路に比較しても大きくなってしまう。
【００１５】
本発明はこのような点に鑑みて成されたものであり、その目的とするところは、媒体垂直方向の漏洩磁場だけでなく、水平方向の漏洩磁場も抑制可能な光ピックアップ用レンズアクチュエータを提供することである。
【００１６】
【課題を解決するための手段】
本発明によると、光ピックアップ用レンズアクチュエータであって、キャリッジと、対物レンズを保持するレンズホルダと、それぞれの一端が前記キャリッジに固定され他端が前記レンズホルダに固定された、該レンズホルダを前記キャリッジに対して移動可能に支持する支持部材と、前記レンズホルダの両側面に長辺が前記支持部材の伸長方向となるように接着された一対の矩形状フォーカシングコイルと、前記各フォーカシングコイルの長辺に対向し、フォーカシング方向に直交する方向に着磁され、隣り合う磁極が互いに異なるようにフォーカシング方向に積み重ねられた、前記対物レンズの光軸を含む面に対して対称に配置され且つ左右の磁気回路の磁極が逆となるように前記キャリッジに固定された４個のアクチュエータ用磁石と、フォーカシング方向に直交する方向に着磁され、隣り合う磁極が互いに異なるように前記左右のアクチュエータ用磁石の上に搭載された漏洩磁場打ち消し用磁石と、を具備したことを特徴とする光ピックアップ用レンズアクチュエータが提供される。
【００１７】
上記構成によると、漏洩磁場打ち消し用磁石が左右のアクチュエータ用磁石の上に搭載されているため、媒体に対して水平方向の漏洩磁場を抑制することができる。
【００１８】
漏洩磁場打ち消し用磁石の大きさ又は強さは、アクチュエータ用磁石の大きさ又は強さ、対物レンズの焦点位置によって調節し、焦点位置でほぼ漏洩磁場が無くなるようにする。
【００１９】
【発明の実施の形態】
図１を参照すると、本発明実施形態の光ピックアップ用レンズアクチュエータ（移動光学アセンブリ）２の斜視図が示されている。レンズアクチュエータ２は、光磁気ディスク装置のベースに固定された一対のガイドレール４に案内されて、図示しない光磁気ディスクの半径方向に移動可能なキャリッジ６を含んでいる。
【００２０】
一対の磁気回路８がガイドレール４と平行にベースに搭載されている。各磁気回路８はベースに搭載されたヨーク１０，１２と、ヨーク１０に接着等により固定された永久磁石１４を含んでいる。
【００２１】
図２の縦断面図に示すように、キャリッジ６は例えばモールド樹脂から形成され、光磁気ディスク装置のベース上に搭載されたレーザダイオードから出射されたレーザビームを受け入れるための穴３０と、レーザビームを対物レンズ２０方向に反射するためのキャリッジ６の斜面３２に搭載されたビームス立ち上げミラー２８を有している。
【００２２】
キャリッジ６には、例えばステンレス鋼から形成された一対の平行板バネ２２の一端が接着されている。各板バネ２２の他端は対物レンズ２０を保持するレンズホルダー１８に接着されている。
【００２３】
キャリッジ６の両側には一対のキャリッジ駆動コイル１６が接着されている。各キャリッジ駆動コイル１６は磁気回路８のヨーク１２と永久磁石１４との間のギャップ中に挿入されている。
【００２４】
磁気回路８とコイル１６によりボイスコイルモータ（ＶＣＭ）が形成され、コイル１６に通電することによりキャリッジ６がガイドレール４，４に案内されて光磁気ディスクの半径方向に移動する。
【００２５】
磁気回路８とコイル１６とから構成されるキャリッジ駆動機構により、キャリッジ６を光磁気ディスクの半径方向に移動して、光磁気ディスクの任意のトラック上に対物レンズ２０を位置決めする（シーク制御）。
【００２６】
更に、このキャリッジ駆動機構により、光磁気ディスクを回転するスピンドルモータの振動や光磁気ディスクチャッキング時の偏心等によって、光磁気ディスクの半径方向にその位置が変動するトラックに対して、常に対物レンズ２０の焦点位置が追従するようなトラッキング制御を行う。
【００２７】
キャリッジ６には一対のフォーカシング磁気回路２６ａ，２６ｂが搭載されている。一方、レンズホルダ１８の側面にはフォーカシング磁気回路２６ａ，２６ｂに対向して一対のフォーカシングコイル２４が接着されている。
【００２８】
図４に示すように、各フォーカシングコイル２４は長辺２４ａと、短辺２４ｂを有する矩形形状をしている。長辺２４ａが平行板バネ２２の伸長方向と平行となるようにフォーカシングコイル２４はレンズホルダ１８の側面に接着されている。
図３に示すように、左側のフォーカシング磁気回路２６ａはキャリッジ６に接着されたヨーク３８ａと、ヨーク３８ａに接着された２個の永久磁石４０ａ，４２ａを含んでいる。
【００２９】
磁石４０ａ，４２ａはコイル２４の長辺２４ａに対向するように配置されている。更に、隣り合う磁極が互いに異なるようにフォーカシング方向に直交する方向（媒体と平行方向）に着磁されている。
【００３０】
同様に、右側のフォーカシング磁気回路２６ｂはキャリッジ６に接着されたヨーク３８ｂと、ヨーク３８ｂに接着された２個の永久磁石４０ｂ，４２ｂを含んでいる。
【００３１】
各磁石４０ｂ，４２ｂはコイル２４の長辺２４ａに対向するように配置されており、隣り合う磁極が互いに異なるようにフォーカシング方向に直交する方向に着磁されている。
【００３２】
左側の磁石４０ａ，４２ａと右側の磁石４０ｂ，４２ｂは対物レンズ２０の光軸を含む面に対して対称に且つ磁極が逆（逆位相）と成るように配置されている。
【００３３】
更に、磁石４２ａ，４２ｂの上には、それぞれ磁石４２ａ，４２ｂの磁極に対して隣り合う磁極が互いに異なるように、フォーカシング方向に直交する方向に着磁された漏洩磁場打ち消し用磁石４４ａ，４４ｂがそれぞれ搭載されている。
【００３４】
磁石４４ａ，４４ｂの大きさ又は強さは、アクチュエータ用磁石４０ａ，４２ａ；４０ｂ，４２ｂの大きさ又は強さ、対物レンズ２０の焦点位置によって調整し、焦点位置でほぼ漏洩磁場が無くなるように設定する。
【００３５】
漏洩磁場打ち消し用磁石４４ａ，４４ｂに対しては背面にヨークはあってもなくてもよい。本実施形態では磁石４４ａ，４４ｂの背面にヨークは設けられていない。
【００３６】
本実施形態では、媒体垂直方向の漏洩磁場がほとんど生じないのに加えて、磁石４２ａから磁石４２ｂに向かう磁束と、磁石４４ｂから磁石４４ａに向かう磁束が互いに打ち消し合うため、媒体水平方向の漏洩磁場を減少することができる。
【００３７】
また、漏洩磁場打ち消し用磁石４４ａ，４４ｂを設けても、フォーカシングコイル２４近傍の磁束にはほとんど変化がないため、フォーカシングコイル２４の性能にはほとんど変化はない。
【００３８】
上述したフォーカシング機構によると、フォーカシング磁気回路２６ａ，２６ｂとフォーカシングコイル２４によりボイスコイルモータ（ＶＣＭ）が形成され、フォーカシングコイル２４に通電することにより対物レンズ２０をその光軸方向（フォーカシング方向）に移動させることができる。
【００３９】
フォーカシング磁気回路２６ａ，２６ｂとフォーカシングコイル２４により構成されたフォーカシング機構は、変動する光磁気ディスクの記録面に対して常に対物レンズ２０の焦点が記録面に一致するように、対物レンズ２０の焦点位置をフォーカシング制御する。
【００４０】
【発明の効果】
本発明のレンズアクチュエータは以上詳述したように構成したので、媒体に対して垂直方向の漏洩磁場をキャンセルできるのに加えて、水平方向の漏洩磁場もキャンセル乃至は減少することができる。よって、磁界変調型の光磁気ディスク装置に適用した場合、データで変調された書き込み磁界に悪影響を及ぼすことがない。
【図面の簡単な説明】
【図１】レンズアクチュエータ（移動光学アセンブリ）の斜視図である。
【図２】キャリッジの縦断面図である。
【図３】図１の一部省略横断面図である。
【図４】フォーカシングコイルを示す図である。
【符号の説明】
４  ガイドレール
６  キャリッジ
８  磁気回路
１０，１２  ヨーク
１４  磁石
１６  キャリッジ駆動コイル
１８  レンズホルダー
２０  対物レンズ
２２  平行板バネ
２４  フォーカシングコイル
２６ａ，２６ｂ  フォーカシング磁気回路
４０ａ，４０ｂ，４２ａ，４２ｂ  アクチュエータ用磁石
４４ａ，４４ｂ  漏洩磁場打ち消し用磁石
【図１】
0003914091.tif 000002
【図２】
0003914091.tif 000003
【図３】
0003914091.tif 000004
【図４】
0003914091.tif 000005